(57)【要約】【課題】発光素子を有する照明装置であって、前方、側方および後方のすべての方向に光を振り分けることができる照明装置を提供すること。【解決手段】照明装置１００は、発光素子１１０、光束制御部材１２０、カバーおよび筐体１７０を有する。光束制御部材１２０は、発光素子１１０からの出射光を少なくとも側方および後方へ配光する。カバーは、光束制御部材１２０からの出射光を拡散させつつ透過させる。筐体１７０は、第２光束制御部材の反射面１４１の外周縁を通り筐体１７０の第１テーパー面１７２の前端縁１７２ａに接する接線Ｌ１が光軸ＬＡとなす角度αが、光束制御部材１２０の後方出射光のピークの角度以上の角度となるように形成されている。【選択図】図６
2014103062.tif 000002
【特許請求の範囲】
【請求項１】
１または２以上の発光素子と、
前記発光素子の光軸上に配置され、第１光束制御部材および第２光束制御部材を有し、前記発光素子から前方に向けて出射した光の一部を側方および後方に向けて出射する光束制御部材と、
前記光束制御部材を覆い、前記光束制御部材からの出射光を拡散させつつ透過させるカバーと、
前記発光素子、前記光束制御部材および前記カバーを支持する筐体と、を有し、
前記第１光束制御部材は、前記発光素子に対向して配置され、前記発光素子から出射し前記第１光束制御部材に到達した光の一部を前記第２光束制御部材に向けて出射し、
前記第２光束制御部材は、前記第１光束制御部材の出射面と対向し、前記第１光束制御部材から出射し前記第２光束制御部材に到達した光の一部を反射し、残部を透過させる反射面を有し、
前記反射面は、前記光軸を回転軸とする回転対称面であり、前記回転対称面の母線が前記第１光束制御部材に対して凹の曲線となるように形成され、
前記反射面の外周部は、前記反射面の中心部と比較して、前記光軸の方向における前記発光素子からの距離が離れた位置に形成され、
前記光軸を含む任意の断面において、前記反射面の外周縁から前記筐体に接する接線の延長線と前記光軸との交角のうちの前記前方側に位置する鈍角の角度をα、前記光軸に沿って前記前方へ出射する光の出射方向を０°としたとき、前記光束制御部材からの出射光の配光の前記後方においてピーク強度を示す出射方向の角度をθ、としたときに、
前記筐体は、αがθ以上となる形状に形成されている、
照明装置。
【請求項２】
前記第１光束制御部材は、前記発光素子から出射した光の一部が入射する入射面と、前記入射面に入射した光の一部を前記第２光束制御部材に向けて反射する全反射面と、前記入射面に入射した光の一部および前記全反射面で反射した光を前記第２光束制御部材に向けて出射する出射面と、を有する、請求項１に記載の照明装置。
【請求項３】
前記筐体は、前記カバーの開口部が当接する台座と、前記台座の外周縁から後方に向かうにつれて前記光軸からの距離が漸増するテーパー面と、をさらに有し、
前記光軸を含む任意の断面において、前記テーパー面に沿う直線と前記光軸との交角のうちの前記前方側の角度βはθ以上である、請求項１に記載の照明装置。
【請求項４】
前記カバーの形状は、球冠形状である、請求項１に記載の照明装置。
【発明の詳細な説明】
【技術分野】
【０００１】
本発明は、発光素子を有する照明装置に関する。
【背景技術】
【０００２】
近年、省エネルギーや環境保全の観点から、発光ダイオード（以下「ＬＥＤ」ともいう）を光源とする照明装置（例えば、ＬＥＤ電球）が、白熱電球に代えて使用されている。
【０００３】
このような照明装置としては、図１に示される照明装置が知られている（例えば、特許文献１参照）。図１は、特許文献１に記載の照明装置の構成を示す模式図である。図１に示される照明装置１０は、ＬＥＤ１１を中央に有し、前方に光を出射する光出射面１２と、光出射面１２から一体的に形成された略球状のカバー１３と、ＬＥＤ１１およびカバー１３に連結し口金を構成するベース１４と、を有し、全体として白熱電球に似た形状に形成されている。
【先行技術文献】
【特許文献】
【０００４】
【特許文献１】特開２０１１−１６５６７５号公報
【発明の概要】
【発明が解決しようとする課題】
【０００５】
特許文献１に記載の照明装置の配光は、カバーの光拡散性のみによって決定されるため、前方に偏る。このため、当該照明装置は、白熱電球のように幅広い方向に光を出射することができない。したがって、当該照明装置は、白熱電球のように天井や壁面からの反射光を利用して室内を広範囲に照らすことができない。
【０００６】
本発明の目的は、発光素子を有する照明装置であって、前方、側方および後方のすべての方向に光を振り分けることができる照明装置を提供することである。
【課題を解決するための手段】
【０００７】
本発明の照明装置は、１または２以上の発光素子と、前記発光素子の光軸上に配置され、第１光束制御部材および第２光束制御部材を有し、前記発光素子から前方に向けて出射した光の一部を側方および後方に向けて出射する光束制御部材と、前記光束制御部材を覆い、前記光束制御部材からの出射光を拡散させつつ透過させるカバーと、前記発光素子、前記光束制御部材および前記カバーを支持する筐体と、を有し、前記第１光束制御部材は、前記発光素子に対向して配置され、前記発光素子から出射し前記第１光束制御部材に到達した光の一部を前記第２光束制御部材に向けて出射し、前記第２光束制御部材は、前記第１光束制御部材の出射面と対向し、前記第１光束制御部材から出射し前記第２光束制御部材に到達した光の一部を反射し、残部を透過させる反射面を有し、前記反射面は、前記光軸を回転軸とする回転対称面であり、前記回転対称面の母線が前記第１光束制御部材に対して凹の曲線となるように形成され、前記反射面の外周部は、前記反射面の中心部と比較して、前記光軸の方向における前記発光素子からの距離が離れた位置に形成され、
前記光軸を含む任意の断面において、前記反射面の外周縁から前記筐体に接する接線の延長線と前記光軸との交角のうちの前記前方側に位置する鈍角の角度をα、前記光軸に沿って前記前方へ出射する光の出射方向を０°としたとき、前記光束制御部材からの出射光の配光の前記後方においてピーク強度を示す出射方向の角度をθ、としたときに、前記筐体は、αがθ以上となる形状に形成されている、構成を採る。
【発明の効果】
【０００８】
本発明に係る照明装置は、前方、側方および後方のすべての方向に光を振り分けることができる。したがって、本発明によれば、前方、側方および後方にバランスよく配光し、白熱電球のように天井や壁面からの反射光を利用して室内を広範囲に照らすことができる照明装置が提供されうる。
【図面の簡単な説明】
【０００９】
【図１】特許文献１に記載の照明装置の構成を示す模式図である。
【図２】本発明の第１の実施形態に係る照明装置の要部断面図である。
【図３】第１の実施形態に係る光束制御部材の断面図である。
【図４】図４Ａは、第１の実施形態に係る第１光束制御部材およびホルダの平面図であり、図４Ｂは、上記第１光束制御部材およびホルダの側面図であり、図４Ｃは、上記第１光束制御部材およびホルダの底面図であり、図４Ｄは図４Ａに示されるＤ−Ｄ線の断面図である。
【図５】図５Ａは、第１の実施形態に係る第２光束制御部材の平面図であり、図５Ｂは、上記第２光束制御部材の側面図であり、図５Ｃは、上記第２光束制御部材の底面図であり、図５Ｄは図５Ａに示されるＤ−Ｄ線の断面図である。
【図６】第１の実施形態に係る照明装置における角度αおよびβを説明するための図である。
【図７】第１の実施形態に係る光束制御部材の配光を光度の相対値で示すグラフである。
【図８】図８Ａは、第１の実施形態に係る照明装置の後方への出射光を模式的に示す図であり、図８Ｂは、上記照明装置の配光を光度の相対値で示すグラフである。
【図９】図９Ａは、第２の実施形態に係る照明装置の後方への出射光を模式的に示す図であり、図９Ｂは、上記照明装置の配光を光度の相対値で示すグラフである。
【図１０】図１０Ａは、第３の実施形態に係る照明装置の後方への出射光を模式的に示す図であり、図１０Ｂは、上記照明装置の配光を光度の相対値で示すグラフである。
【図１１】図１１Ａは、第１の比較用の照明装置の後方への出射光を模式的に示す図であり、図１１Ｂは、上記照明装置の配光を光度の相対値で示すグラフである。
【図１２】図１２Ａは、第２の比較用の照明装置の後方への出射光を模式的に示す図であり、図１２Ｂは、上記照明装置の配光を光度の相対値で示すグラフである。
【図１３】図１３Ａは、本発明に用いられうる第１光束制御部材およびホルダの一体成形物の一変形例の平面図であり、図１３Ｂは、上記変形例の側面図であり、図１３Ｃは、上記変形例の底面図であり、図１３Ｄは、図１３Ａに示すＤ−Ｄ線の断面図である。
【図１４】図１４Ａは、ホルダの外周面に形成される凹凸の一例を拡大して示す図であり、図１４Ｂは、ホルダの外周面に形成される凹凸の他の例を拡大して示す図である。
【発明を実施するための形態】
【００１０】
以下、本発明の実施の形態について、図面を参照して詳細に説明する。以下の説明では、本発明に係る照明装置の代表例として、白熱電球に代えて使用されうる照明装置について説明する。
【００１１】
［実施の形態１］
（照明装置の構成）
図２は、本発明の実施の形態１に係る照明装置の構成を示す断面図である。図２に示されるように、照明装置１００は、発光素子１１０、光束制御部材１２０、カバー１６０および筐体１７０を有する。以下、各構成要素について説明する。
【００１２】
（１）発光素子
発光素子１１０は、照明装置１００の光源であり、筐体１７０に実装されている。たとえば、発光素子１１０は、白色発光ダイオードなどの発光ダイオード（ＬＥＤ）である。発光素子１１０の数は、単数でも複数でもよい。「発光素子の光軸」とは、発光素子からの立体的な光束の中心における光の進行方向を言う。発光素子が複数ある場合は、複数の発光素子からの立体的な光束の中心における光の進行方向を言う。以下、発光素子１１０の光軸ＬＡに沿う出射方向（図２に示されるＡ方向）を前方とし、その反対の方向（図２に示されるＢ方向）を後方とする。
【００１３】
（２）光束制御部材
図３は、光束制御部材１２０の断面図である。図３に示されるように、光束制御部材１２０は、第１光束制御部材１３０、第２光束制御部材１４０およびホルダ１５０を有する。第２光束制御部材１４０は、ホルダ１５０の前方端に配置され、第１光束制御部材１３０は、ホルダ１５０の中央部に配置されている。第１光束制御部材１３０は、発光素子１１０に対向し、第２光束制御部材１４０は、第１光束制御部材１３０に対向している。第１光束制御部材１３０の中心軸ＣＡ１、第２光束制御部材１４０の中心軸ＣＡ２、およびホルダ１５０の中心軸は、いずれも光軸ＬＡに合致する。このように、光束制御部材１２０は光軸ＬＡ上に配置されている。
【００１４】
（２−１）第１光束制御部材
図４Ａ〜図４Ｄは、第１光束制御部材１３０およびホルダ１５０の構成を示す図である。図４Ａは平面図であり、図４Ｂは側面図であり、図４Ｃは底面図であり、図４Ｄは図４Ａに示されるＤ−Ｄ線の断面図である。
【００１５】
図４Ａに示されるように、第１光束制御部材１３０は、平面視形状が略円形に形成されている。第１光束制御部材１３０は、ホルダ１５０と一体的に形成されており、発光素子１１０に対して空気層を介して配置されている（図２参照）。図３および図４Ｄに示されるように、第１光束制御部材１３０は、屈折部１３１、フレネルレンズ部１３２および出射面１３３を有する。
【００１６】
屈折部１３１は、第１光束制御部材１３０の後方側の面における中心部に形成されている。屈折部１３１は、中心軸ＣＡ１を回転軸とする回転対称形状の面で構成され、例えばその平面視形状は円形である。屈折部１３１は、例えば、平面、球面、非球面、屈折型のフレネルレンズまたはそれらの組み合わせによって構成される。屈折部１３１は、屈折部１３１に入射する発光素子１１０からの出射光の一部を出射面１３３に向けて屈折させる。屈折部１３１は、発光素子１１０からの出射光の一部が入射する光の入射面として機能する。
【００１７】
フレネルレンズ部１３２は、第１光束制御部材１３０の後方側の面における屈折部１３１の周囲に形成されている。フレネルレンズ部１３２は、同心円状に配置された円環状の突起１３２ａを複数有する。円環状の突起１３２ａは、内側の第１傾斜面１３２ｂと外側の第２傾斜面１３２ｃとを有する。
【００１８】
第１傾斜面１３２ｂは、円環状の突起１３２ａの頂縁から円環状の突起１３２ａの内側の底縁に至る面であり、第１光束制御部材１３０の中心軸ＣＡ１を回転軸とする回転対称面である。すなわち、第１傾斜面１３２ｂは、中心軸ＣＡ１を回転軸とする円環形状に形成されている。第１傾斜面１３２ｂの中心軸ＣＡ１に対する傾斜角は、それぞれ異なっていてもよい。また、第１傾斜面１３２ｂは、中心軸ＣＡ１と平行（傾斜角９０°）であってもよい。さらに、第１傾斜面１３２ｂの母線は、直線であってもよいし、曲線であってもよい。なお、「母線」とは、一般的に線織面を描く直線を意味するが、本発明では回転対称面を描くための曲線を含む語として用いる。第１傾斜面１３２ｂが曲面である場合における第１傾斜面１３２ｂの傾斜角は、第１傾斜面１３２ｂの接線の、中心軸ＣＡ１に対する角度である。第１傾斜面１３２ｂは、発光素子１１０からの出射光の一部を入射する光の入射面として機能する。
【００１９】
第２傾斜面１３２ｃは、円環状の突起１３２ａの頂縁から円環状の突起１３２ａの外側の底縁に至る面である。第２傾斜面１３２ｃは、第１光束制御部材１３０の中心軸ＣＡ１を回転軸とする回転対称面である。中心軸ＣＡ１から第２傾斜面１３２ｃまでの距離は、円環状の突起１３２ａの頂縁から底縁に向かうにつれて漸増している。第２傾斜面１３２ｃを構成する母線は、外側（中心軸ＣＡ１から離れる側）に凸の円弧状曲線である。たとえば照明装置１００に求められる配光特性に応じて、第２傾斜面１３２ｃを構成する母線を直線としてもよい。すなわち、第２傾斜面１３２ｃは、テーパー形状であってもよい。第２傾斜面１３２ｃの中心軸ＣＡ１に対する傾斜角は、第２傾斜面１３２ｃごとに異なっていてもよい。第２傾斜面１３２ｃが曲面である場合の第２傾斜面１３２ｃの傾斜角は、第２傾斜面１３２ｃの接線の、中心軸ＣＡ１に対する角度である。最も外側の第２傾斜面１３２ｃの外縁と出射面１３３の外縁との間には、フランジ１３４が設けられている。フランジ１３４は設けられなくてもよい。第２傾斜面１３２ｃは、第１傾斜面１３２ｂに入射した光の一部を第２光束制御部材１４０に向けて全反射する。第２傾斜面１３２ｃは、第１傾斜面１３２ｂから入射した光の一部を全反射する全反射面として機能する。すなわち、フレネルレンズ部１３２は反射型のフレネルレンズとして機能する。
【００２０】
出射面１３３は、第１光束制御部材１３０の前方側の面を構成している。すなわち、出射面１３３は、第２光束制御部材１４０と対向している。出射面１３３は、屈折部１３１および第１傾斜面１３２ｂから入射した光の一部および第２傾斜面１３２ｃで全反射した光を第２光束制御部材１４０に向けて出射する。
【００２１】
第１光束制御部材１３０の材料は、所望の波長の光を通過させうる透過性の高いものであれば特に限定されない。たとえば、第１光束制御部材１３０の材料は、ポリメタクリル酸メチル（ＰＭＭＡ）やポリカーボネート（ＰＣ）、エポキシ樹脂（ＥＰ）などの光透過性樹脂、またはガラスである。第１光束制御部材１３０は、例えば射出成形により形成される。
【００２２】
第１光束制御部材１３０は、発光素子１１０から出射した光の一部の進行方向を制御する。より具体的には、第１光束制御部材１３０は、発光素子１１０から出射し第１光束制御部材１３０に到達した光の一部を第２光束制御部材１４０に向けて出射する。このように、第１光束制御部材１３０は、第１光束制御部材１３０からの出射光の配光が発光素子１１０からの出射光の配光よりも狭まるように機能する。
【００２３】
（２−２）第２光束制御部材
図５Ａ〜図５Ｄは、第２光束制御部材１４０の構成を示す図である。図５Ａは平面図であり、図５Ｂは側面図であり、図５Ｃは底面図であり、図５Ｄは図５Ａに示されるＤ−Ｄ線の断面図である。図５Ａに示されるように、第２光束制御部材１４０は、平面視形状が略円形に形成されている。第２光束制御部材１４０は、第１光束制御部材１３０に対して空気層を介して配置されている（図３参照）。第２光束制御部材１４０は、反射面１４１を有する。反射面１４１は、第１光束制御部材１３０と対向している。
【００２４】
反射面１４１は、第２光束制御部材１４０の中心軸ＣＡ２を回転軸とする回転対称（円対称）面である。この回転対称面の中心から外周部にかけての母線は、発光素子１１０および第１光束制御部材１３０に対して凹の曲線であり、反射面１４１は、この母線を３６０°回転させた状態の曲面である。すなわち、反射面１４１は、中心から外周部に向かうにつれて光軸ＬＡ方向における発光素子１１０からの高さが高くなる非球面形状の曲面を有する。
【００２５】
反射面１４１の外周部は、反射面１４１の中心と比較して、発光素子１１０の光軸ＬＡ方向における発光素子１１０からの距離が大きい位置に形成されている。たとえば、反射面１４１は、中心から外周部に向かうにつれて発光素子１１０からの距離が大きくなる非球面形状の曲面である。この場合、中心軸ＣＡ２に対する反射面１４１の角度は、中心から外周部に向かうにつれて大きくなる。または、反射面１４１は、中心部から所定の地点までは中心部から外周部に向かうにつれて、中心軸ＣＡ２方向における発光素子１１０までの距離が大きくなり、前記所定の地点から外周部までは中心部から外周部に向かうにつれて発光素子１１０までの距離が小さくなる非球面形状の曲面であってもよい。この場合、反射面１４１には、中心と外周部との間であって、かつ外周部に近い位置に、中心軸ＣＡ２に対する角度が９０°となる点が存在する。
【００２６】
反射面１４１は、入射光の正反射方向の反射強度が他の方向の反射強度よりも大きくなるように形成されていることが好ましい。したがって、第２光束制御部材１４０の第１光束制御部材１３０と対向する面は、光沢面となるように形成されていることが好ましい。
【００２７】
第２光束制御部材１４０は、反射面１４１の外周部のさらに外側を囲むフランジ１４２と、フランジ１４２の周方向における端部に形成され、フランジ１４２のさらに外側に突出する嵌合部１４３と、嵌合部１４３に形成されている凹部１４４と、をさらに有している。
【００２８】
第２光束制御部材１４０は、部分反射および部分透過の機能を有する。第２光束制御部材１４０にこのような部分反射および部分透過の機能を付与する手段は、特に限定されない。
【００２９】
上記の機能は、例えば、光透過性の材料からなる第２光束制御部材１４０の後方側の面に透過反射膜を形成することによって第２光束制御部材１４０に付与されうる。光透過性の材料の例には、ポリメタクリル酸メチル（ＰＭＭＡ）やポリカーボネート（ＰＣ）、エポキシ樹脂（ＥＰ）などの透明樹脂材料や、ガラスなどが含まれる。透過反射膜の例には、ＴｉＯ２およびＳｉＯ２の多層膜、ＺｒＯ２およびＳｉＯ２の多層膜、Ｔａ２Ｏ５およびＳｉＯ２の多層膜などの誘電体多層膜や、アルミニウム（Ａｌ）などからなる金属薄膜などが含まれる。
【００３０】
また、上記の機能は、光透過性の材料からなる第２光束制御部材１４０の内部にビーズなどの散乱子を分散させることによって第２光束制御部材１４０に付与されうる。すなわち、第２光束制御部材１４０は、一部の光を反射させ、一部の光を透過させる材料により形成されていてもよい。
【００３１】
さらに、上記の機能は、光反射性の材料からなる第２光束制御部材１４０に、必要に応じて光透過部を形成することによって第２光束制御部材１４０に付与されうる。光反射性の材料の例には、白色樹脂や金属などが含まれる。光透過部の例には、貫通孔や有底の凹部などが含まれる。後者の場合、発光素子１１０および第１光束制御部材１３０からの出射光は、凹部の底部（厚みが薄くなっている部分）を透過する。たとえば、可視光の透過率が２０％程度であり、反射率が８０％程度である白色のポリメタクリル酸メチルを用いて、光反射性および光透過性の機能を併せ持つ第２光束制御部材１４０を作製することができる。
【００３２】
第２光束制御部材１４０は、第１光束制御部材１３０の出射面１３３からの出射光の進行方向を制御する。第２光束制御部材１４０は、第１光束制御部材１３０からの出射光の一部を透過させて前方および側方に出射し、第１光束制御部材１３０からの出射光の残部を反射させて側方および後方に向けて出射させるように機能する。なお、本発明における光の出射方向について、「前方」は、光軸ＬＡ方向における前方、すなわち出射角度が０°の方向を言い、「側方」は、出射角度が０°より大きく９０°以下である方向を言い、「後方」は、出射角度が９０°よりも大きく１８０°以下である方向を言う。反射面１４１は、反射面１４１に到達した光を、その到達した位置が反射面１４１の中心に近いほど側方または後方のより前方側に向けて反射し、反射面１４１の外周縁に近いほど後方のより後方側に向けて反射する。光束制御部材１２０からの後方への出射光は、主に、反射面１４１の外周部で反射した光による。なお、光束制御部材１２０からの後方への出射光は、主に、ホルダ１５０の外周面の図２における上半部（第１光束制御部材１３０よりも前方側の部分）から出射する。
【００３３】
（２−３）ホルダ
ホルダ１５０は、光透過性を有する。ホルダ１５０の材料は、所望の波長の光を通過させうるものであれば特に限定されない。たとえば、ホルダ１５０の材料は、ポリメタクリル酸メチル（ＰＭＭＡ）やポリカーボネート（ＰＣ）、エポキシ樹脂（ＥＰ）などの光透過性樹脂、またはガラスである。
【００３４】
ホルダ１５０は、図３および図４に示されるように、中心軸ＣＡ１を回転軸とする回転対称な筒形状に形成されている。たとえば、ホルダ１５０は、略円筒形状に形成されている。ホルダ１５０は、その中央部に配置される第１光束制御部材１３０とともに、成形により一体的に形成されている。
【００３５】
ホルダ１５０は、前方側の端部に、第２光束制御部材１４０を固定するための構造を有している。たとえば、ホルダ１５０は、ホルダ１５０の前方側の端面１５１上に、ガイド突起１５２および爪１５３を有している。端面１５１は、ホルダ１５０の前方側端部の内側全周にわたって形成されている。
【００３６】
ガイド突起１５２の数は、特に限定されないが、通常は２つ以上である。ホルダ１５０は、例えば図４に示されるように、互いに対向する２つのガイド突起１５２を有している。ガイド突起１５２の形状は、第２光束制御部材１４０と径嵌合することができれば特に限定されない。平面視したときのガイド突起１５２の形状は、例えば図４に示されるように円弧状である。
【００３７】
爪１５３の数は、特に限定されないが、通常は２つ以上である。ホルダ１５０は、例えば図４に示されるように、互いに対向する２つの爪１５３を有している。また、爪１５３の形状は、第２光束制御部材１４０を回転させたときに、爪１５３を第２光束制御部材１４０の凹部１４４に嵌合させることができれば特に限定されない。
【００３８】
また、ホルダ１５０は、後方側の端部に、ホルダ１５０を筐体１７０に対して位置決めするためなどの構造を有している。たとえば、ホルダ１５０は、ホルダ１５０の後方側の端部に、ホルダ１５０を筐体１７０に位置決めするためのボス１５５と、第１光束制御部材１３０の周囲の空気を換気するための換気口１５６と、筐体１７０に形成された不図示の係止用の孔に係止する係止爪１５７と、を有している。
【００３９】
なお、ホルダ１５０に光拡散能を付与する場合には、前述した光透過性の材料に散乱子を含ませてもよいし、ホルダ１５０の表面に光拡散処理を施してもよい。
【００４０】
光束制御部材１２０は、第１光束制御部材１３０とホルダ１５０との一体成形物に第２光束制御部材１４０を組み付けることによって製造されうる。第１光束制御部材１３０とホルダ１５０の一体成形物は、例えば無色透明の樹脂材料を用いて射出成形により作製されうる。第２光束制御部材１４０は、例えば、無色透明の樹脂材料を用いて射出成形した後に反射面１４１となる面に透過反射膜を蒸着することによって、または、白色の樹脂材料を用いて射出成形することによって、作製されうる。
【００４１】
第２光束制御部材１４０は、フランジ１４２および嵌合部１４３を端面１５１上に載せ、その状態でそれらを回動させることによって、ホルダ１５０の前方側端部に固定される。ガイド突起１５２は、フランジ１４２の外周面に当接し、第２光束制御部材１４０がホルダ１５０の径方向に移動することを防止している。爪１５３は、凹部１４４に係止して、第２光束制御部材１４０が外れることおよび回転することを防止している。フランジ１４２は、端面１５１に全周にわたり接し、第２光束制御部材１４０とホルダ１５０との隙間から光が漏れることを防止する。第２光束制御部材１４０を組み付ける際には、接着剤などを使用してもよい。ホルダ１５０は、筐体１７０に位置決めされるとともに、発光素子１１０に対して第１光束制御部材１３０および第２光束制御部材１４０を位置決めする。
【００４２】
なお、第１光束制御部材１３０とホルダ１５０とを別々に成形し、第１光束制御部材１３０および第２光束制御部材１４０をホルダ１５０に組み付けることで、光束制御部材１２０を製造してもよい。第１光束制御部材１３０とホルダ１５０とを別々に成形することにより、ホルダ１５０および第１光束制御部材１３０を形成する材料の選択の自由度が向上する。たとえば、散乱子を含む光透過性の材料でホルダ１５０を形成し、散乱子を含まない光透過性の材料で第１光束制御部材１３０を形成することが容易となる。
【００４３】
（３）カバー
カバー１６０は、開口部を有する中空領域を形成する。光束制御部材１２０は、カバー１６０の中空領域内に配置される。
【００４４】
カバー１６０は、光透過性を有する。たとえば、カバー１６０の材料は、ポリメタクリル酸メチル（ＰＭＭＡ）やポリカーボネート（ＰＣ）、エポキシ樹脂（ＥＰ）などの光透過性樹脂、またはガラスである。カバー１６０は、光拡散性も有する。カバー１６０に光拡散能を付与する手段は、特に限定されない。たとえば、透明な材料で作製されたカバーの内面または外面に光拡散処理（例えば、粗面化処理）を行ってもよいし、上記の透明な材料に、ビーズなどの散乱子を含む光拡散性の材料を配合してカバー１６０を作製してもよい。
【００４５】
カバー１６０は、通常、光軸ＬＡに対して回転対称な形状を有することが好ましい。カバー１６０の形状は、例えば、回転対称な形状のみからなる形状であってもよいし、回転対称な形状の一部分を含む形状であってもよい。カバー１６０の形状は、光束制御部材１２０からの出射光の配光のバランスをさらに改善することができる形状であることが好ましい。たとえば、カバー１６０の形状は、後方への光の光量をより多くする観点から、カバー１６０の最大外径に比べてカバーの開口部の径が小さい形状であることが好ましい。カバー１６０の形状は、例えば球冠形状（球面の一部を平面で切り取った形状）である。カバー１６０の最大外径Ｄ１は、例えば６０ｍｍであり、カバー１６０の開口径Ｄ２は、例えば３８ｍｍである（図２参照）。
【００４６】
カバー１６０は、光束制御部材１２０を覆い、光束制御部材１２０から出射した光を拡散させつつ透過させる。
【００４７】
（４）筐体
筐体１７０は、発光素子１１０、光束制御部材１２０およびカバー１６０を、筐体１７０の前方端部でそれぞれ支持する。筐体１７０は、光軸ＬＡを回転軸とする回転対称体に形成されている。筐体１７０は、図６に示されるように、口金１７１と、口金１７１の前方に配置され、前方に向かうにつれて光軸ＬＡからの距離が漸増する第１テーパー面１７２と、第１テーパー面１７２の前端縁１７２ａから前方に向かうにつれて光軸ＬＡからの距離が漸減する第２テーパー面１７３と、第２テーパー面１７３の前端縁から内側に形成される、光軸ＬＡに垂直な円環状の平面で構成される環状端面１７４と、環状端面１７４の内周縁から前方に突出する円柱状の突出部１７５と、を有している。
【００４８】
突出部１７５の円形の前端面には、発光素子１１０が実装されている。図２に示されるように、突出部１７５の前端周縁部には、光束制御部材のボス１５５が外側から当接している。光軸ＬＡ方向における環状端面１７４から突出部１７５の前端面までの距離（突出部１７５の突出長さ）は、例えば３ｍｍである。環状端面１７４には、カバー１６０の開口部が当接している。環状端面１７４の外径は、カバー１６０の開口部の外径とほぼ同じである。環状端面１７４は、カバー１６０の開口部が当接する台座となっている。第２テーパー面１７３は、上記台座の周縁から後方に向かうにつれて光軸ＬＡからの距離が漸増するテーパー面となっている。
【００４９】
筐体１７０の第１テーパー面１７２および第２テーパー面１７３で囲まれる内部には、口金１７１と発光素子１１０とを電気的に接続する不図示の電源回路が配設されている。また、筐体１７０は、発光素子１１０からの熱を放出するためのヒートシンクを兼ねている。このため、筐体１７０は、アルミニウムや銅などの熱伝導性の高い金属によって構成されている。
【００５０】
筐体１７０の外形は、光束制御部材１２０の配光特性に応じて決められる。ここで、光束制御部材１２０の配光特性について説明する。まず、光束制御部材１２０における光の光路を説明する。
【００５１】
発光素子１１０の光軸ＬＡに対する角度が小さい光は、屈折部１３１から第１光束制御部材１３０に入射し、出射面１３３から出射し、第２光束制御部材１４０に到達する。発光素子１１０の光軸ＬＡに対する角度が大きい光は、第１傾斜面１３２ｂから第１光束制御部材１３０に入射し、第２傾斜面１３２ｃで第２光束制御部材１４０に向けて反射し、出射面１３３から出射し、第２光束制御部材１４０に到達する。
【００５２】
第２光束制御部材１４０に到達した光の一部は、第２光束制御部材１４０を透過してカバー１６０の上部に到達する。第２光束制御部材１４０に到達した光の残部は、第２光束制御部材１４０の反射面１４１で反射し、ホルダ１５０に到達し、ホルダ１５０の外周面から出射し、カバー１６０の中部（側部）および下部に到達する。第２光束制御部材１４０の中心部において反射した光は、カバー１６０の中部に向かい、第２光束制御部材１４０の外周部において反射した光は、カバー１６０の下部に向かう。
【００５３】
図７は、光束制御部材１２０からの出射光の配光を光度の相対値で示す図である。図７中、「０°」および「±１８０°」は、光軸ＬＡの向きである。「０°」は前方を意味する。前方に対して光軸ＬＡよりも左側の方位の角度を「＋」で表示し、右側の方位を「−」で表示する。光度は、光源から１ｍの距離にある照度とほぼ同等である。発光素子１１０からの出射光は、光束制御部材１２０によって、前方、側方および後方に配光され、特に、図７に示されるように、側方（±６０°）および後方（±１２０〜±１５０°）にピークを有するように配光される。
【００５４】
後方の光の「ピーク」とは、配光特性曲線の、後方において外周方向に突出する形状の部分の頂点である。後方にピークが複数存在する場合は、上記の「ピーク」は、最大のピークである。当該最大のピークが実質的に複数存在する場合は、より後方のピークである。なお、後方において上記突出する形状が明瞭ではない場合には、ピークは、後方における光度の最大値であってもよい。後方のピークは、図７中の矢印Ｂで示されており、その角度θは、例えば±１３２°である。θは、実測値であってもよいし、コンピュータシミュレーションによって得られる計算値であってもよい。図７に示されるように、光束制御部材１２０からの角度θへの出射光は、後方の光の中で最も強い。
【００５５】
筐体１７０の外形のうち、光束制御部材１２０から出射される角度θの光の光路に対して突出している部分は、第２テーパー面１７３の前端縁および第１テーパー面１７２の前端縁１７２ａである。そして、第１テーパー面１７２の前端縁１７２ａは、第２テーパー面１７３の前端縁よりも、上記光路に対して突出している。第１テーパー面１７２の前端縁１７２ａの光軸ＬＡに対する位置は、図６に示されるように、反射面１４１の外周縁から第１テーパー面１７２の前端縁１７２ａに接する接線Ｌ１を引いたとき、接線Ｌ１が光軸ＬＡに対してなす角度αが、前述した後方の光のピークの角度θ以上となる位置に決められている。接線Ｌ１は、光軸ＬＡを含む任意の断面において、反射面１４１の外周縁から筐体１７０に接する接線およびその延長線となっている。θおよびαは、いずれも、光軸ＬＡにおける光の出射方向（Ａ方向）側を０°とする。αは、例えば１５９．５°である。たとえば、第１テーパー面１７２の前端縁１７２ａを光軸ＬＡにより近づけることによって、αは、より大きくなる。また、突出部１７５の突出高さをより大きくすることによって、αは、より大きくなる。
【００５６】
また、第２テーパー面１７３は、図６に示されるように、第２テーパー面１７３に接する接線Ｌ２を引いたとき、接線Ｌ２が光軸ＬＡに対してなす角度βがθ以上となるように、形成されている。接線Ｌ２は、光軸ＬＡを含む任意の断面において、第２テーパー面１７３に沿う直線となっている。βも、光軸ＬＡにおける光の出射方向（Ａ方向）側を０°とする。βは、例えば１４５．２°である。βは、第２テーパー面１７３の光軸ＬＡに対する角度を表しており、例えば、第１テーパー面１７２の前端縁１７２ａを光軸ＬＡにより近づけることによって、より大きくなる。
【００５７】
（照明装置の光学特性）
図８Ａは、照明装置１００の後方への出射光を模式的に示す図であり、図８Ｂは、照明装置１００の配光を光度の相対値で示す図である。
【００５８】
光束制御部材１２０からの出射光のうち、後方への出射光は、ホルダ１５０の外周面から出射する。そして前述したように、後方の出射光のうち、最も強い光（角度θの光）は、図８Ａの矢印Ｂで示されるように、ホルダ１５０の外周面の前半部（第１光束制御部材１３０よりも前方側の部分）から主に出射する。さらに、筐体１７０の外形のうち、第１テーパー面１７２の前端縁１７２ａが、角度θの光の光路に対して最も突出している。
【００５９】
前述したように、反射面１４１の外周縁から第１テーパー面１７２の前端縁１７２ａに接する接線Ｌ１の光軸ＬＡとなす角度αであり、αはθ以上である。したがって、後方への出射光の主成分となっている反射面１４１の外周部での反射光（角度θの光）は、第１テーパー面１７２の前端縁１７２ａに接するか、または接することなく外方に進行する。
【００６０】
したがって、αがθ以上となる形状の筐体１７０は、光束制御部材１２０から出射する角度θの光を遮らない。よって、光束制御部材１２０から角度θで出射される後方の光は、筐体１７０に遮られずにカバー１６０に直接入射し、カバー１６０から出射する。光束制御部材１２０から前方および側方に出射する光も、カバー１６０に直接入射し、カバー１６０から出射する。このように、光束制御部材１２０からの出射光は、実質的に全方向に向けて出射し、カバー１６０に入射する。カバー１６０に入射した光は、カバー１６０によってさらに各方位に拡散され、カバー１６０から全方向に向けてより均一に出射する。よって、図８Ｂに示されるように、照明装置１００の出射光は、前方のみならず、側方および後方にもバランスよく配光する。
【００６１】
（効果）
照明装置１００では、発光素子１１０からの出射光を、第１光束制御部材１３０によって第２光束制御部材１４０へ集光し、第２光束制御部材１４０で一部を透過しつつ残部を側方および後方へ反射させる。そして、筐体１７０は、反射面１４１の外周縁から筐体１７０に接する接線Ｌ１が光軸ＬＡに対してなす角度αが後方出射光のピーク角θ以上となる形状に形成されている。このため、光束制御部材１２０からの出射光は、実質的に全方位において筐体１７０によって遮られることなくカバー１６０に直接入射し、カバー１６０によって拡散されながら透過し、外部に出射する。よって、照明装置１００は、前方、側方および後方のすべてにバランスよく配光する光を出射することができる。
【００６２】
さらに、照明装置１００では、第２テーパー面１７３は、θ以上の角度βで傾斜している。このため、カバー１６０の開口部の近傍を透過した角度θの光は、第２テーパー面１７３によって遮られない。このため、カバー１６０の頂部から開口部までのカバー１６０の内面全域は、入射面として有効に活用されうる。よって、カバー１６０による配光特性の向上効果をより高める観点からより効果的である。また、筐体１７０が第２テーパー面１７３を有することは、後方のピークの光を遮らずに筐体１７０の容量を十分に確保する観点からも効果的である。
【００６３】
さらに、照明装置１００では、カバー１６０は、最大外径よりも小さな開口径を有する球冠形状に形成されている。このため、カバー１６０内の光を後方へ光を出射する観点、および全方向における配光のバランスを調整する観点から、より効果的である。
【００６４】
［実施の形態２］
図９Ａは、本実施の形態に係る照明装置２００の後方への出射光を模式的に示す図であり、図９Ｂは、照明装置２００の配光を光度の相対値で示す図である。照明装置２００は、突出部１７５、第１テーパー面１７２および第２テーパー面１７３の三点が異なる以外は、照明装置１００と同様に構成されている。照明装置１００と同じ構成を同じ符号で示し、その説明を省略する。
【００６５】
突出部２７５は、円環端面からの光軸ＬＡ方向への突出長さが異なる以外は、突出部１７５と同様に構成されている。突出部２７５の突出長さは、例えば１５．５ｍｍである。第１テーパー面２７２の光軸ＬＡ方向の長さは、第１テーパー面１７２のそれに比べて短く、第２テーパー面２７３の光軸ＬＡ方向の長さは、第２テーパー面１７３のそれに比べて短い。筐体２７０の外形のうち、第１テーパー面２７２の前端縁２７２ａが角度θの光の光路に対して最も突出している部分であることは、照明装置１００と同じである。反射面１４１の外周縁を通り第１テーパー面２７２の前端縁２７２ａに接する接線Ｌ１が光軸ＬＡとなす角度αは、θよりも大きい。また、第２テーパー面２７３の傾斜角度βは、θよりも小さい。
【００６６】
照明装置２００では、第２テーパー面２７３の傾斜角度βがθよりも小さいが、突出部２７５の突出長さが十分に大きい。このため、光束制御部材１２０から出射する、後方のピークの光は、第２テーパー面２７３によって遮られない。よって、照明装置２００も、図９Ｂに示されるように、前方、側方および後方のすべてにバランスよく配光する光を出射することができる。
【００６７】
さらに、照明装置２００では、発光素子１１０がカバー１６０内部の中空領域の中央部に配置されることから、筐体２７０の、口金の後端から第２テーパー面２７３の前端縁までの部分の光軸ＬＡ方向の長さがより短くなる。よって、本実施の形態によれば、照明装置１００と同じカバー１６０を有し、かつ照明装置１００よりも短い全長の照明装置を構成することができる。
【００６８】
［実施の形態３］
図１０Ａは、本実施の形態に係る照明装置３００の後方への出射光を模式的に示す図であり、図１０Ｂは、照明装置３００の配光を光度の相対値で示す図である。照明装置３００は、カバー１６０のサイズが異なる以外は、照明装置１００と同様に構成されている。照明装置１００と同じ構成を同じ符号で示し、その説明を省略する。
【００６９】
カバー３６０の最大外径は、カバー１６０のそれに比べて小さい。カバー３６０の最大外径は、例えば４９ｍｍである。光束制御部材１２０および筐体１７０は、照明装置１００と同じであるので、照明装置１００で述べたのと同じ理由で、光束制御部材１２０から出射する後方のピークの光は、筐体１７０によって遮られない。よって、照明装置３００も、図１０Ｂに示されるように、前方、側方および後方のすべてにバランスよく配光する光を出射することができる。本実施の形態によれば、照明装置１００と同じ筐体１７０を有し、かつ照明装置１００よりも短い全長の照明装置を構成することができる。
【００７０】
［比較の形態１］
図１１Ａは、比較用の照明装置４００の後方への出射光を模式的に示す図であり、図１１Ｂは、照明装置４００の配光を光度の相対値で示す図である。比較用の照明装置４００は、カバー１６０のサイズおよび筐体１７０の形状が照明装置１００と異なっている。
【００７１】
比較用の照明装置４００の筐体４７０は、第２テーパー面１７３を有していない。よって、環状端面４７４は、第１テーパー面４７２の前端縁から形成されている。また、比較用の照明装置４００のカバー４６０最大外径および開口径は、カバー１６０のそれらに比べていずれも大きい。カバー４６０の最大外径は、例えば７０ｍｍである。カバー４６０の開口径は、例えば６８ｍｍである。カバー４６０の開口部は、環状端面４７４の外周縁上に配置されており、カバー４６０の外周面は、筐体４７０の外周面とほぼ一体的に連続している。
【００７２】
照明装置４００では、環状端面４７４が、光束制御部材１２０から出射する後方のピークの光の角度θよりも小さな角度（±９０°）で外側に張り出しており、その外周縁にカバー４６０の開口部が配置されている。そして、図１１Ａに示されるように、反射面１４１の外周縁を通り、環状端面４７４の外周縁（第１テーパー面４７２の前端縁４７２ａ）に接する接線Ｌ１が光軸ＬＡとなす角度αは、θよりも小さい。このため、照明装置４００では、カバー４６０に到達する前に、光束制御部材１２０から出射する後方のピークの光が環状端面４７４によって遮られる。よって、照明装置４００における後方の光度は、図１１Ｂに示されるように、照明装置１００〜３００に比べて明らかに低くなる。
【００７３】
［比較の形態２］
図１２Ａは、比較用の照明装置５００の後方への出射光を模式的に示す図であり、図１２Ｂは、照明装置５００の配光を光度の相対値で示す図である。比較用の照明装置５００は、カバー４６０が異なる以外は、比較用の照明装置４００と同様に構成されている。比較用の照明装置５００におけるカバーは、本発明の実施の形態１に係る照明装置１００におけるカバー１６０である。カバー１６０の開口部は、環状端面４７４の内周縁側に配置されており、環状端面４７４は、カバー１６０の開口部よりも外側にさらに張り出している。そして、図１２Ａに示されるように、反射面１４１の外周縁を通り、環状端面４７４の外周縁（第１テーパー面４７２の前端縁４７２ａ）に接する接線Ｌ１が光軸ＬＡとなす角度αは、θよりも小さい。このため、したがって、照明装置５００では、光束制御部材１２０から出射する後方のピークの光は、カバー１６０に直接到達するものの、カバー１６０から出射した上記ピークの光は、環状端面４７４によって遮られる。よって、照明装置５００における後方の光度も、図１２Ｂに示されるように、照明装置１００〜３００に比べて明らかに低くなる。
【００７４】
［変形例］
本発明では、光束制御部材１２０に代えて、図１３に示されるように、第１光束制御部材に、フレネルレンズ部１３２を含まない第１光束制御部材２３０を有する光束制御部材を用いることができる。図１３Ａは、第１光束制御部材２３０およびホルダ１５０の一体成形物の平面図であり、図１３Ｂは、上記一体成形物の側面図であり、図１３Ｃは、上記一体成形物の底面図であり、図１３Ｄは、図１３Ａに示すＤ−Ｄ線の断面図である。第１光束制御部材１２０およびホルダ１５０と同じ構成を同じ符号で示し、その説明を省略する。
【００７５】
第１光束制御部材２３０は、発光素子１１０から出射された光を入射する入射面２３１と、入射面２３１から入射した光の一部を全反射する全反射面２３２と、入射面２３１から入射した光の一部および全反射面２３２で反射した光を出射する出射面１３３とを有する。
【００７６】
入射面２３１は、第１光束制御部材２３０の底部に形成された凹部の内面である。入射面２３１は、凹部の天面を構成する内天面と、凹部の側面を構成するテーパー状の内側面とを有する。内側面は、内天面側の縁の内径寸法よりも開口縁側の内径寸法の方が大径となるように、内天面側から開口縁側に向かうにつれて内径が漸増している（図１３Ｄ参照）。
【００７７】
全反射面２３２は、第１光束制御部材２３０の底部の外縁から出射面１３３の外縁に延びる面である。全反射面２３２は、第１光束制御部材２３０の中心軸ＣＡ１を回転軸とする回転対称面である。全反射面２３２の直径は、底部から出射面１３３に向かうにつれて漸増する。全反射面２３２を構成する母線は、外側（中心軸ＣＡ１から離れる側）に凸の円弧状曲線である。全反射面２３２を構成する母線を直線とし、全反射面２３２をテーパー形状としてもよい。この一体成形物に第２光束制御部材１４０を前述したように装着することによって光束制御部材を構成する。前述の光束制御部材１２０に代えて上記の光束制御部材を用いても、白熱電球に近い配光特性を有する照明装置を得ることができる。
【００７８】
さらに、ホルダの外周面には、ホルダからの出射光の出射方向を調整する凹凸が形成されていてもよい。図１４Ａは、ホルダの外周面に形成される凹凸の一例を拡大して示す図であり、図１４Ｂは、ホルダの外周面に形成される凹凸の他の例を拡大して示す図である。
【００７９】
複数の凹部３５１は、互いに同一形状であり、かつ一定間隔で配置される。凹部３５１の形状は、ホルダ１５０の中心軸（たとえば中心軸ＣＡ１またはＣＡ２）を回転軸とする回転対称である。ホルダ１５０の中心軸を通る断面における凹部３５１の形状は、直角三角形である。凹部３５１は、図１４Ａに示されるように、後方に向かうにつれてホルダ１５０の外径が漸減する傾斜面３５１ａと、傾斜面３５１ａの後方側の端から外側に広がる、ホルダ１５０の中心軸に直交する環状の平面３５１ｂとを有する。傾斜面３５１ａは、第２光束制御部材１４０で反射して前方からホルダ１５０に到達する光の進行方向を、発光素子１１０の光軸ＬＡに直交する方向に近づくように変える。
【００８０】
凹部は、図１４Ｂに示される凹部３５２であってもよい。凹部３５２は、前方に向かうにつれてホルダ１５０の外径が漸減する傾斜面３５１ｃと、傾斜面３５１ｃの前方側の端から外側に広がる、ホルダ１５０の中心軸に直交する平面３５１ｄと、を有する。凹部３５２は、後方からホルダ１５０に到達する光の進行方向を、発光素子１１０の光軸ＬＡに直交する方向（側方）に近づくように変える。
【００８１】
凹部の形状は、傾斜面３５１ａや傾斜面３５１ｃなどの、上方または下方からの光の進行方向を側方に近づくように変える面を有すれば、特に限定されない。このような面には母線が曲線の面も含まれる。前述のホルダ１５０に代えてこのような凹凸を有するホルダを用いても、白熱電球に近い配光特性を有する照明装置を得ることができる。
【００８２】
また、筐体の形状は、テーパー面を含む形状に限定されない。たとえば、筐体は、光軸ＬＡに沿ってまっすぐな柱状体に形成されていてもよい。また、筐体の形状は、回転対称な形状に限定されない。たとえば、筐体の光軸ＬＡに直交する断面の形状は、矩形などの多角形であってもよいし、楕円形などの非円形であってもよい。このような筐体を用いても、前述したαとθの関係を満足する形状を有していれば、白熱電球に近い配光特性を有する照明装置を得ることができる。
【産業上の利用可能性】
【００８３】
本発明の照明装置は、白熱電球に代えて使用されうるため、シャンデリアや間接照明装置などの各種照明機器に幅広く適用されうる。
【符号の説明】
【００８４】
１０，１００〜５００  照明装置
１１  ＬＥＤ
１２  光出射面
１３，１６０，３６０，４６０  カバー
１４  ベース
１１０  発光素子
１２０  光束制御部材
１３０，２３０  第１光束制御部材
１３１  屈折部
１３２  フレネルレンズ部
１３２ａ  円環状の突起
１３２ｂ  第１傾斜面
１３２ｃ  第２傾斜面
１３３  出射面
１３４，１４２  フランジ
１４０  第２光束制御部材
１４１  反射面
１４３  嵌合部
１４４，３５１，３５２  凹部
１５０  ホルダ
１５１  端面
１５２  ガイド突起
１５３  爪
１５５  ボス
１５６  換気口
１５７  係止爪
１７０，２７０，４７０  筐体
１７１  口金
１７２，２７２，４７２  第１テーパー面
１７２ａ，２７２ａ，４７２ａ  第１テーパー面の前端縁
１７３，２７３  第２テーパー面
１７４，４７４  環状端面
１７５，２７５  突出部
２３１  入射面
２３２  全反射面
３５１ａ，３５１ｃ  傾斜面
３５１ｂ，３５１ｄ  平面
ＣＡ，ＣＡ１，ＣＡ２  中心軸
ＬＡ  光軸
【図１】
2014103062.tif 000003
【図２】
2014103062.tif 000004
【図３】
2014103062.tif 000005
【図４】
2014103062.tif 000006
【図５】
2014103062.tif 000007
【図６】
2014103062.tif 000008
【図７】
2014103062.tif 000009
【図８】
2014103062.tif 000010
【図９】
2014103062.tif 000011
【図１０】
2014103062.tif 000012
【図１１】
2014103062.tif 000013
【図１２】
2014103062.tif 000014
【図１３】
2014103062.tif 000015
【図１４】
2014103062.tif 000016